(57)【要約】【課題】簡便な取扱性を確保しつつ、作業機の位置を確実に保持できる作業機固定装置を提供することを目的とする。【解決手段】トラクタ（１０）の後部に備える左右方向の連結軸（２５ａ）に作業機（１６）を連結し、当該連結軸を支点に作業機の位置を上下に変更すると共に、作業機側と一体のピン（３４）をトラクタ側に備える２カ所のストッパ（２３、２４）のいずれかにバネ（３１）で押し当てて、作業機を非作業状態の高い位置と作業状態の低い位置に切換える作業機取付け部において、左右方向の支軸（４３）を支点に旋回自在な係止板（４）を設け、係止板の一側に係合凹部（４０）を形成し、この係合凹部を前記ストッパに位置する前記ピンと係合する。係止板は、高い位置にある作業機のピンと係合する第１の係合凹部（４０１）と、低い位置にある作業機のピンと係合する第２の係合凹部（４０２）とを備えている。【選択図】図２
0003130554.tif 000002
【実用新案登録請求の範囲】
【請求項１】
トラクタ後部に備える左右方向の連結軸に作業機を連結し、当該連結軸を支点に作業機の位置を上下に変更すると共に、作業機側と一体のピンをトラクタ側に備える２カ所のストッパのいずれかにバネで押し当てて、作業機を非作業状態の高い位置と作業状態の低い位置に切換える作業機取付け部において、
左右方向の支軸を支点に旋回自在な係止板を設け、係止板の一側に係合凹部を形成し、この係合凹部を前記ストッパに位置する前記ピンと係合することを特徴とする作業機固定装置。
【請求項２】
前記係止板をバネで付勢し前記係合凹部を前記ストッパに位置する前記ピンに係合することを特徴とする請求項１記載の作業機固定装置
【請求項３】
前記係止板に一体に把手部を備えることを特徴とする請求項１記載の作業機固定装置。
【請求項４】
前記係止板の係合凹部を２カ所設け、そのうち一方を高い位置の作業機のピンと係合し、他方を低い位置の作業機のピンと係合することを特徴とする請求項１記載の作業機固定装置。
【考案の詳細な説明】
【技術分野】
【０００１】
小型のトラクタの場合、路上走行時のように作業機を使用しないときは、後部の作業機を跳ね上げて地表面から離し、作業する場合に元の位置に作業機を下ろすようにしたものが多い。
本考案は、この種のトラクタにおいて、作業機を非作業状態の高い位置か作業状態の低い位置かのいずれかに固定するための作業機取付け部の改良に関する。
【背景技術】
【０００２】
図５は作業機としてレーキを連結した従来例の作業機取付部の要部を示している。
【０００３】
図例の作業機取付部は、図示しないトラクタの後部に取り付けた断面コ字状のブラケット１００の両側板１０１、１０１の間に左右方向の連結軸１０２とバネ軸１０３とを設けて、連結軸１０２には作業機１０４を取り付ける連結子１０５を接続すると共にバネ軸１０３にはバネ１０６の一端を接続し、さらにバネ１０６の他端を連結子１０５に接続して構成されている。
【０００４】
連結子１０５は、バネ１０６により上方又は下方に向かって付勢されると共に、連結子１０５に形成したピン１０７をブラケット１００の端縁Ａ又はＢに当接することにより高い位置又は低い位置を規定され、作業機１０４を非作業状態の高い位置又は作業状態の低い位置に切換可能となっており、作業機１０４の取付位置を簡便な取扱いにより切り換えて、バネ１０６で押し当てることにより所望の位置で保持することができるものであった。
【０００５】
しかし作業機１０４を作業位置である低い位置にして作業を行う場合に、作業機１０４を圃場の地面に押し付けることにより一定以上の力が加わると、バネ１０６による付勢力が外力に抗しきれなくなって、作業機１０４が作業位置である低い位置から押し上げられてしまい、作業の続行ができなくなることがあった。
【０００６】
また非作業位置である高い位置に作業機１０４を跳ね上げた場合、トラクタ走行振動で作業機１０４に衝撃が加わるとバネで支持しきれず作業機１０４が落ちて怪我をするなどの危険があった。
【考案の開示】
【考案が解決しようとする課題】
【０００７】
解決しようとする課題は、トラクタの後部に取り付けた作業機の種類や作業態様、圃場の地面の固さなどによって、作業機を圃場に押し付けたときに作業機が作業位置である低い位置から押し上げられたり、逆に非作業位置である高い位置から不意に落ちてしまう点であり、これを解決するため、本考案は、簡便な取扱性を確保しつつ、作業機の位置を確実に保持できる作業機固定装置を提供することを目的とする。
【課題を解決するための手段】
【０００８】
前記課題を解決するために、請求項１記載の考案は、トラクタ後部に備える左右方向の連結軸に作業機を連結し、当該連結軸を支点に作業機の位置を上下に変更すると共に、作業機側と一体のピンをトラクタ側に備える２カ所のストッパのいずれかにバネで押し当てて、作業機を非作業状態の高い位置と作業状態の低い位置に切換える作業機取付け部において、左右方向の支軸を支点に旋回自在な係止板を設け、係止板の一側に係合凹部を形成し、この係合凹部を前記ストッパに位置する前記ピンと係合することを特徴とする。
請求項２記載の考案は、前記係止板をバネで付勢し前記係合凹部を前記ストッパに位置する前記ピンに係合することを特徴とする。
請求項３記載の考案は、前記係止板に一体に把手部を備えることを特徴とする。
請求項４記載の考案は、前記係止板の係合凹部を２カ所設け、そのうち一方を高い位置の作業機のピンと係合し、他方を低い位置の作業機のピンと係合することを特徴とする。
【考案の効果】
【０００９】
請求項１記載の考案では、作業機固定装置は、左右方向の支軸を支点に旋回自在な係止板を設け、この係止板の一側に、トラクタ側に備えるストッパに押し当てたピンと係合する係合凹部を形成している。したがって、係止板を旋回させるという簡便な操作により係止板の係合凹部をストッパに位置するピンと係合して、作業機を非作業状態である高い位置又は作業状態である低い位置に留め置くことができ、作業中に作業機に外力がかかっても作業位置から押し上げられることがない。
請求項２記載の考案では、前記係止板をバネで付勢することにより前記係合凹部を前記ストッパに位置する前記ピンに係合している。したがって、このバネの弾性力により係止板を係合位置又は非係合位置に向かって付勢して、容易に係止板を旋回してストッパに位置するピンと係合し又は係合を解除することができると共に、係止板により係合状態又は非係合状態を安定に保持することができる。
請求項３記載の考案では、前記係止板に一体に把手部を備えている。したがって、係止板の旋回動作をさらに容易に行うことができ、係止板の操作性と取扱性の向上を図ることができる。
請求項４記載の考案では、前記係止板の係合凹部を２カ所設け、そのうち一方を高い位置の作業機のピンと係合し、他方を低い位置の作業機のピンと係合している。したがって、一つの係止板の旋回操作によって高い位置又は低い位置のいずれかにある作業機のピンと係合して当該位置で作業機を保持することができ、簡易な構成により作業機固定装置を安価に形成できると共に係止板の操作性と取扱性の向上を図ることができる。
【考案を実施するための最良の形態】
【００１０】
本考案に係る作業機固定装置について、図１乃至図４を参照して説明する。図１は、本考案に係る作業機固定装置を備えたトラクタの全体側面図であり、図２は、本考案に係る作業機固定装置の斜視図である。
【００１１】
トラクタ１０は、機枠１１と、機枠１１の左右に取り付けた車輪１２と、この機枠１１に搭載したエンジン１３と、エンジン１３の動力を車輪１２に伝達するトランスミッションケース１４と、トラクタ１０を操向するハンドル１５と、機枠１１の後端部に設けた作業機固定装置１とから構成される。図例では、作業機固定装置１には、レーキ１６を連結している。
【００１２】
作業機固定装置１は、図２に示すように、機枠１１に取り付ける断面コ字状のブラケット２と、ブラケット２に取り付けて上下方向に回動自在とした連結具３及び係止板４とにより構成されている。
【００１３】
ブラケット２は、機枠１１の後端部に取り付ける背板２０と左右一対の側板２１、２１とにより断面コ字状に形成する。側板２１、２１の端縁２２は円弧状に形成し、この端縁２２の上側と下側をそれぞれ凹状に形成してストッパ２３、２４とする。また、側板２１、２１間に連結軸２５ａとバネ軸２６ａとを設ける。
【００１４】
連結軸２５ａには、回動子３０の一端を取り付けて上下方向に回動可能に構成し、バネ軸２６ａには、バネ３１の一端を取り付けて上下方向に回動可能に構成する。また、円弧状に形成した端縁２２の円弧の中心に係止子３２の一端を軸着する。
【００１５】
係止子３２は、この中心軸２７ａの回りに回動可能に構成すると共に、係止子３２には、この端縁２２に当接するピン３４を突設する。この係止子３２は、左右の側板２１、２１のそれぞれに取り付ける。そして、これらの回動子３０、バネ３１、及び係止子３２、３２の他端をそれぞれ連結子３３に軸２５ｂ、２６ｂ、２７ｂで取り付けて連結具３を構成する。
【００１６】
連結具３はバネ３１により上方又は下方に付勢されて、ピン３４が端縁２２の上側のストッパ２３に係止される高い位置、又は下側のストッパ２４に係止される低い位置に保持される。
【００１７】
係止板４は、幅方向に湾曲した板体に、高い位置又は低い位置にある連結具３のピン３４に係合する係合凹部４０を形成してなる。この係止板４を側板２１、２１の一方又は両方に軸着して、支軸４３のまわりに上下方向に回動可能に構成する。図例では、一方の側板２１にのみ係止板４を設けている。
【００１８】
係止板４の支軸４３は、連結具３の係止子３２の回動の中心軸２７と異なる軸にする。さらに、係止板４に形成した舌片４１ａと側板２１に形成した舌片４１ｂとにバネ４１（図２において図示省略）を架け渡す。
【００１９】
係合凹部４０は、係止板４の回動方向に長い溝状に形成する。図例では、係止板４は、高い位置にある連結具３のピン３４と係合する第１の係合凹部４０１と、低い位置にある連結具３のピン３４と係合する第２の係合凹部４０２との二つの係合凹部を備えている。
【００２０】
また、係止板４には、これを回動するときに掴む把手部４２を設ける。把手部４２は、係止板４の回動方向に対して交差する向きに突設する。
【００２１】
次に、図３及び図４を参照して、係止板４の作用について説明する。図３は、作業機が高い位置にある状態を示す作業機固定装置１の側面図であり、図４は、作業機が低い位置にある状態を示す作業機固定装置１の側面図である。なお、図３及び図４においては、作業機であるレーキ１６の図示を省略している。
【００２２】
作業機が高い位置にあるとき（図３）に係止板４を下方に回動すると、破線図示のごとく、係止板４の第１の係合凹部４０１がピン３４と係合して作業機の位置を非作業位置に固定する。作業機が低い位置にあるとき（図４）に係止板４を下方に回動すると、破線図示のごとく、係止板４の第２の係合凹部４０２がピン３４と係合して作業機の位置を作業位置に固定する。このとき係止板４は、バネ４１により係合位置に向かって下方に付勢されている。
【００２３】
作業機の位置を変えるときは、まず、係止板４を上方に回動して係合位置から非係合位置に移動する。このときバネ４１は、係止板４を上方に回動するにつれてバネ長が長くなっていくが、係止板４をさらに上方に回動するとバネ長は、最大長となったあと短くなり、係止板４は非係合位置に向かって付勢される。そして、係止板４を非係合位置にした後、作業機を上方又は下方に回動して高い位置又は低い位置に移動させ、また係止板４を下方に回動して係合凹部４０をピン３４と係合し、作業機の位置を固定する。
【００２４】
前記のごとく構成した作業機固定装置は、以下に示す効果を奏する。
【００２５】
作業機固定装置には、左右方向の支軸を支点に旋回自在な係止板を設け、この係止板の一側に、トラクタ側に備えるストッパに押し当てたピンと係合する係合凹部を形成している。
したがって、係止板を旋回させるという簡便な操作により係止板の係合凹部をストッパに位置するピンと係合して、作業機を非作業状態である高い位置又は作業状態である低い位置に留め置くことができ、作業中に作業機に外力がかかっても作業位置からみだりに押し上げられることがない。
【００２６】
また、前記係止板をバネで付勢することにより前記係合凹部を前記ストッパに位置する前記ピンに係合している。
したがって、このバネの弾性力により係止板を係合位置又は非係合位置に向かって付勢して、容易に係止板を旋回してストッパに位置するピンと係合し又は係合を解除することができると共に、係止板により係合状態又は非係合状態を安定に保持することができる。
【００２７】
また、前記係止板に一体に把手部を備えている。
したがって、係止板の旋回動作をさらに容易に行うことができ、係止板の操作性と取扱性の向上を図ることができる。
【００２８】
また、前記係止板には係合凹部を２カ所設け、そのうち一方を高い位置の作業機のピンと係合する第１の係合凹部とし、他方を低い位置の作業機のピンと係合する第２の係合凹部としている。
したがって、一つの係止板の旋回操作によって高い位置又は低い位置のいずれかにある作業機のピンと係止板とを係合して当該位置で作業機を保持することができ、簡易な構成により作業機固定装置を安価に形成できると共に係止板の操作性と取扱性の向上を図ることができる。
【図面の簡単な説明】
【００２９】
【図１】本考案に係る作業機固定装置を備えたトラクタの全体側面図である。
【図２】本考案に係る作業機固定装置の斜視図である。
【図３】作業機が高い位置にある状態を示す作業機固定装置の側面図である。
【図４】作業機が低い位置にある状態を示す作業機固定装置の側面図である。
【図５】従来の作業機固定装置の一例を示す斜視図である。
【符号の説明】
【００３０】
１      作業機固定装置
２      ブラケット
２３、２４  ストッパ
２５ａ  連結軸
２６ａ  バネ軸
２７ａ  中心軸
３      連結具
３０    回動子
３１    バネ
３２    係止子
３３    連結子
３４    ピン
４      係止板
４０    係合凹部
４１    バネ
４２    把手部
１０    トラクタ
１６    作業機
【図１】
0003130554.tif 000003
【図２】
0003130554.tif 000004
【図３】
0003130554.tif 000005
【図４】
0003130554.tif 000006
【図５】
0003130554.tif 000007